(57)【要約】【課題】体温により炭類の充填層から発生する多量の遠赤外線により身体の保温効果を得ることにより、血行が良くなり、不眠症、冷え性、腰痛、肩凝り等の改善を図ることを目的とする。【解決手段】クッション性を有する断熱層４上にアルミ箔シートよりなる遠赤外線反射シート３を敷設し、更にその上に炭類微粉末の充填袋２ａ，…を列設してなる炭類の充填層２を敷設した保温シート。【選択図】      図１
2004267659.tif 000002
【特許請求の範囲】
【請求項１】
断熱層上に遠赤外線反射シートを敷設し、更にその上に炭類の充填層を敷設したことを特徴とする保温シート。
【請求項２】
遠赤外線反射シートと断熱層に通気孔を設けた請求項１記載の保温シート。
【請求項３】
寝具装置上に敷設する請求項１記載の保温シート。
【請求項４】
身体の必要な部位に当接して使用する請求項１記載の保温シート。
【発明の詳細な説明】
【０００１】
【発明が属する技術分野】
この発明は、遠赤外線を利用して血行を良くし、不眠症、冷え性、腰痛、肩凝り等の改善を目的とした保温シートに関するものである。
【０００２】
【従来の技術】
従来ダブル織りしたネット状シートにセラミック等の遠赤外線物質の微粉末を吸着、コーティング等の手法により付着一体化させて遠赤外線ネット状シートと、この遠赤外線ネット状シートの一方の面に添設一体化したアルミシートとからなる保温シートが提案されている（特開２００１−３２７３６５）。
【０００３】
この提案によれば、アルミシートが配置されていない場合は、遠赤外線ネット状シートから発生した遠赤外線が分散して人体に集中できず、加温効果が悪化するが、アルミシートを配置することにより、遠赤外線の大半を人体側に反射させることができ、またダブル織りしたネット状シートは通気性がよく、遠赤外線により利用者の身体発生する汗の一部はネット状シートの通気作用により容易にかつ速やかに蒸発し、体温を下げる原因となることがないと述べている。
【０００４】
【発明が解決しようとする課題】
しかし、ダブル織りしたネット状シートにセラミック等の遠赤外線物質の微粉末を吸着、コーティング等の手法により付着一体化させて遠赤外線ネット状シートはシート表面に遠赤外線微粉末の付着密度が低く、これより発生する遠赤外線量も低く、したがって十分な保温効果が得られない。
【０００５】
また、アルミシートに照射される遠赤外線の一部は人体側に反射されるが、その大半は熱線となって系外に排出されてしまうので、これによっても十分な保温効果が得られない。
【０００６】
そこで、この発明は十分な保温効果が得られるような遠赤外線を利用した保温シートを提案することを目的とするものである。
【０００７】
【課題を解決するための手段】
この発明は、上記実情に鑑み、断熱層上に遠赤外線反射シートを敷設し、更にその上に炭類の充填層を敷設した保温シートを提案するものである。
【０００８】
【発明の実施の形態】
即ち、この発明によればアルミ箔シート等から構成される遠赤外線反射シート上には、例えば袋内に炭類の微粉末を充填して構成された炭類の充填層が設けられ、この充填層は炭類の充填密度がきわめて高いため、体温により温められると、多量の遠赤外線を発生し、これがアルミ箔シートで反射されて人体側に照射されて十分な保温効果が得られる。
【０００９】
また、遠赤外線反射シートの下面にはポリエステル等の高分子材料から構成される断熱層が設けられているため、アルミ箔シートに照射される遠赤外線の大部分が熱線となり、系外に排出されることがなく、これによっても十分な保温効果を得ることができる。
【００１０】
したがって、この発明によれば体温により炭類の充填層から発生する多量の遠赤外線により身体の保温効果が得られるので、血行が良くなり、不眠症、冷え性、腰痛、肩凝り等の改善を図ることができる。
【００１１】
なお、この発明で使用する炭類としては、粉末状のものが好ましいが、これに限定されるものでなく、また遠赤外線の発生源として使用するため、できるだけ１０００℃以上の高温で焼成したものが好ましく、活性炭等を使用することができる。
【００１２】
また、この発明に係るシートは、ベットなどの寝具類に敷設して就寝中の身体の保温効果を高めるようにしてもよいが、腰巻などのように身体の必要な部位に当接してこの部位の保温効果を高めるように使用してもよい。
【００１３】
更に、遠赤外線反射シートと断熱層に通気孔を設けるようにすれば、炭類の充填層と遠赤外線反射シートの間に篭る湿気はこの通気孔を通して外部に放出されるため、就寝中或は着用時に蒸し暑さを感じることがない。
【００１４】
【実施例】
以下、この発明を図示の実施例に基づいて詳細に説明すると、１はこの発明に係る保温シートのカバー、２は炭類の微粉末を充填袋２ａ，…を配列して構成された炭類の充填層、３はアルミ箔シートで構成される遠赤外線反射シート、４はポリエステル等の高分子材料で構成されるクッション性を有する断熱層で、遠赤外線反射シート３と断熱層４には多数の通気孔５が形成される。
【００１５】
以上のように構成される保温シート６は例えばふとん７のような寝具類上に敷設して使用されるが、この場合保護シート６上に横臥して就寝する際に、就寝中に体温により炭類の充填層２が加温され、多量の遠赤外線が発生するが、この遠赤外線はアルミ箔シート３の表面で反射され、からだ側に照射される。
【００１６】
また、アルミ箔シート３の下面には断熱層４が設けられているため、アルミ箔シート３に照射される遠赤外線の大部分が熱線となり、系外に排出されることがない。
【００１７】
したがって、この発明によれば体温により炭類の充填層から発生する多量の遠赤外線により身体の保温効果が得られるので、血行が良くなり、不眠症、冷え性、腰痛、肩凝り等の改善を図ることができる。
【００１８】
なお、本願発明者の研究によれば４０肩、５０肩等の肩凝りについては保温シート７はふとん７上の身体の肩が当たる部分に配置し（図７（ａ）参照）、腰痛については腰の当たる部分に配置し（図７（ｂ）参照）、冷え性、不眠症、リハビリ等についてはふとん７の全面に配置する（図７（ｃ）参照）ことが好ましい。
【００１９】
また、この発明に係わる保温シート６は図８に示すようにバンド８の内面に貼着して身体の腰部に当接するようにしてもよい。
【００２０】
なお、この実施例によれば遠赤外線反射シート３と断熱層４に通気孔５が設けられているため、炭類の充填層２と遠赤外線反射シート３の間に篭る湿気はこの通気孔を通して外部に放出されるため、就寝中或は着用時に蒸し暑さを感じることがない。
【００２１】
【発明の効果】
以上要するに、この発明によれば体温により炭類の充填層から発生する多量の遠赤外線により身体の保温効果が得られるので、血行が良くなり、不眠症、冷え性、腰痛、肩凝り等の改善を図ることができる。
【図面の簡単な説明】
【図１】この発明の一実施例を示す縦断側面図
【図２】同上の実施例における遠赤外線反射シートの平面図
【図３】遠赤外線反射シートと断熱層に形成される通気孔の配置状態を示す平面図
【図４】同上の断面図
【図５】この発明に係わる保温シートを敷設したふとん上に横臥した状態の平面図
【図６】同上の縦断側面図
【図７】症状に応じた保温シートの配置例を示すもので、（ａ）４０肩、５０肩等の肩凝りについての保温シートの配置例，（ｂ）は腰痛についての保温シートの配置例、（ｃ）は冷え性、不眠症、リハビリ等についての保温シートの配置例を示す図
【図８】保温シートを腰巻状する使用例を示す図
【符号の説明】
１はカバー
２は炭類の充填層
２ａ，…炭類の微粉末充填袋
３はアルミ箔シート
４はクッション性を有する断熱層
５，…は通気孔
６は保温シート
７はふとん
８はバンド
【図１】
2004267659.tif 000003
【図２】
2004267659.tif 000004
【図３】
2004267659.tif 000005
【図４】
2004267659.tif 000006
【図５】
2004267659.tif 000007
【図６】
2004267659.tif 000008
【図７】
2004267659.tif 000009
【図８】
2004267659.tif 000010